(57)【要約】【課題】知覚過敏で冷温に反応に強い歯牙も充分に洗浄できるように温かく感じるスプレーが出来るようにする。【解決手段】加温部２を内蔵した把持部１の先端ヘッド部３にノズルを取り付け、加温部２の外筒内に空気通路６と液体通路８を併設して空気通路６の途中に組み込んだヒーター７で液体通路７を加温し、ノズルから空気と共に加温した液体を噴射する歯科用加温洗浄器において、前記加温部のヒーター７に金属管をコイル状に巻いた螺旋管８ｃを外嵌させることにより液体通路８を形成し、その外側を外筒で覆って、把持部先端側には螺旋管８ｃの端末の液体通路出口管８ｂと外筒で作られた空気通路空間の出口のの管６ｂが、一方、後端側には螺旋管８ｃの他端末の液体通路入り口管８ａと空気通路空間の入り口管６ａと、ヒーター７からのコード７ａが出るように構成せしめた。【選択図】    図２
0003124465.tif 000002
【実用新案登録請求の範囲】
【請求項１】
加温部を内蔵した把持部の先端にノズルを取り付け、加温部の外筒内に空気通路と液体通路を併設して空気通路の途中に組み込んだヒーターで液体通路を加温し、ノズルから空気と共に加温した液体を噴射する歯科用加温洗浄器において、前記加温部の空気通路途中のヒーターに金属管をコイル状に巻いた螺旋管を外嵌させることにより液体通路を形成し、その外側を外筒で覆って、把持部先端側には前記螺旋管端末の液体通路出口管と外筒で作られた空気通路空間の出口管が、一方、後端側には前記螺旋管他端末の液体通路入り口管と空気通路空間の入り口管と、ヒーターからのコードが出るように構成されてなることを特徴とする歯科用加温洗浄器。
【請求項２】
把持部がその先端に約１１０度の角度で屈曲状に設けられたヘッド部を有し、該ヘッド部にノズルが回動自在に取り付けられる請求項１記載の歯科用加温洗浄器
【考案の詳細な説明】
【技術分野】
【０００１】
本考案は歯科治療において歯周病，齲歯あるいは口臭などの原因となるプラークを除去するための歯科用洗浄器に関するものである。
【背景技術】
【０００２】
従来より、口腔特に歯周を洗浄するための洗浄器は市販され、広く使用されているが、それらは殆ど単に水流を利用して洗浄するのが一般的であった。
【０００３】
しかし、上記の単なる水流ではパワーがないため、水と圧縮空気との混合のスプレーを用い、パワーのある洗浄が出来るようにしたものがその後、実用に供されてきた。
【０００４】
ところが、水と圧縮空気との混合では勢いがあるため熱を奪われ、温度低下を起こし易く 、また歯周病に罹患している歯牙は冷反応が強いこと等から痛みを生じ易いためにスプレーの温度を高めることが必要となり、ヒーターで加温する洗浄器が提案されてきた。（例えば特許文献１参照）
この加温洗浄器は先端にノズルを取り付けたシリンダ部に空気通路と薬液等の液体通路を並列して設け、空気通路の途中にヒーターを組み込んで液体通路の液体を加熱し、ノズルから空気と共に加熱した液体を噴射する構成からなっている。
【特許文献１】特開平７−２３９８７号公報
【考案の開示】
【考案が解決しようとする課題】
【０００５】
しかし、上記加温洗浄器は空気通路と液体通路を並設し、空気通路内にヒーターを設けるためにヒーターの熱が液体に効果的に伝達せず、無駄に放散するために必要以上に熱を発生しなければならず、そのため使用電圧が高く通常、２４ボルト程度が必要となり、危険も大きくなる難点があった。
【０００６】
本考案は上述の如き実状に対処し、特に液体通路をヒーターのまわりに螺旋状に構成することにより、空気通路空間の発熱体の周囲に液体が長く留まるようにして液体への加温効果を高め、かつ使用電圧を１０ボルト以下、５ボルト程度に低くして安全性，経済性を良好ならしめることを目的とするものである。
【課題を解決するための手段】
【０００７】
即ち、上記課題を解決するための本考案の特徴は、加温部を内蔵した把持部の先端にノズルを取り付け、加温部の外筒内に空気通路と液体通路を併設して空気通路の途中に組み込んだヒーターで液体通路を加温し、ノズルから空気と共に加温した液体を噴射する歯科用加温洗浄器において、前記加温部の空気通路途中のヒーターに金属管をコイル状に巻いた螺旋管を外嵌させることにより液体通路を形成し、その外側を外筒で覆って把持部先端側には前記螺旋管端末の液体通路出口管と外筒で作られた空気通路空間の出口管が、一方、後端側には前記螺旋管の他端末の液体通路入り口管と、空気通路空間の入り口管と、ヒーターからのコードが出るように構成せしめた点にある。
【０００８】
ここで上記歯科用加温洗浄器の把持部は、通常の形態としてその先端に約１１０度の角度で屈曲状に設けられたヘッド部を有して該ヘッド部に前記ノズルが回動自在に取り付けられる。
【考案の効果】
【０００９】
本考案は以上のように空気通路空間内のヒーターの外周に液体の通路を金属管をコイル状に巻いた螺旋管をもって螺旋状の通路として形成したため、液体がヒーターの周囲により長く留まり、ノズル先端より噴射される場合に温度低下があるとしても、液体の温度を適温に充分保持することができ、この結果、熱効率を高めるのみならず、１０ボルト以下、５ボルト程度の低電圧での使用を可能にして、経済性，安全性の向上をはかり、歯科用の洗浄器として暖かく感じるスプレーで傷みを与えることなく充分に洗浄することができ、歯周病やメンテナンス等に極めて優れた効果を奏する。
【考案を実施するための最良の形態】
【００１０】
以下、本考案の具体的な実施の形態を添付図面に基づいて詳細に説明する。
【００１１】
図１〜図５は本考案の実施形態に係り、図１は本考案歯科用加温洗浄器の外観斜視図、図２は把持部の断面図、図３は加温部の外観斜視図、図４は螺旋管の外観斜視図、図５はノズルの断面図である。
【００１２】
図１に示すように本考案歯科用加温洗浄器は、加温部２を内蔵し、その先端にヘッド部３を約１１０度の角度で屈曲状に設けた把持部１と、ヘッド部３に回動自在となるように取り付けられた噴射口５を有するノズル４とから構成されている。
【００１３】
ここで、把持部１に内蔵される加温部２は外筒内に空気通路６を形成する空間と、該空気通路６途中に組み込まれたヒーター７と、該ヒーター７の外周に併設された薬液等の液体通路８を含んで構成されており、液体通路８は前記ヒーター７の外周に図４に示す如き金属管をコイル状に巻いた螺旋管８ｃによって形成されている。
【００１４】
そして、加温部２は全体として図３に示すように先端に上記空気通路６の出口６ｂと螺旋管８ｃよりなる液体通路８の出口８ｂが、一方、後端側には前記液体通路８の入り口８ａと、空気通路６の入り口６ａと、前記ヒーター７に接続するコード７ａが出るように筒状に覆って形成されている。
【００１５】
なお、把持部１先端で加温部２に対し屈曲状に設けられたヘッド部３にはノズル４の接続筒１０が挿し込まれる挿入孔９が設けられ、挿入孔９の内壁面に前記加温部２の先端より出る液体通路の出口８ｂと空気通路の出口６ｂが夫々出口管となって開口している。
【００１６】
ノズル４は図５に示す如く内部通路が内腔１１となる内管と、この内管と内管に外嵌する外管とが作る空間の外腔１２を有して形成され、内腔１１は空気通路，外腔１２は液体通路となり、先端は噴射口５となっていると共に、後端側は前記挿入孔９に連結される接続筒１０となっている。なお、上記接続筒１０には内腔入り口１３と外側壁に外腔入り口１４が開口し、内腔入り口１３はヘッド部３の挿入孔９の空気通路の出口６ｂと、また外腔入り口１４は同じくヘッド部３の液体通路の出口８ｂに夫々連通できるようになっている。
【００１７】
かくして、把持部１とノズル４はヘッド部３に設けられている挿入孔９にノズル４の接続筒１０をＯリング５を介して挿し込み、ノズルが回動できるように接続リング１６で連結される。そして、ノズル４の接続筒１０がヘッド部３の挿入孔９に挿し込まれ、回動固定されると、ヘッド部３の液体通路出口８ｂがノズルの外腔入り口１４と連通し、空気通路出口６ｂが内腔入り口１３と連通する。このとき、接続筒１０には上記連通部分の気密や水密を保つために複数のＯリング１５が外嵌されている。
【００１８】
ここで、ノズルの外腔１２を液体通路とするのは、ノズル先端より噴射されたスプレーは温度低下があるためで、体温より１０度近く温度を高める必要があり、また液体より空気の方が熱を放散し易く、そのためにノズル外側に熱が伝わり、外周も熱くなり易く、触れたときに熱痛を与えることがあるからで、液体の方が熱の保温力があるために外腔１２を液体温通路とした方がノズル外周は熱くならないことによるものである。
【００１９】
なお、ノズルの先端側約９ｍｍはノズル基部と約１００度屈曲し、先端が噴射口５になっており、これによりスプレー方向を歯軸に平行にでき、歯の側面に存在するポケット内を容易に洗浄可能で、また、回動自在のために上顎，下顎の歯周を充分に洗浄することができる。
【００２０】
特に液体の通路となる螺旋管や螺旋管に連なる液体の管は、薬液も通るので腐食に耐え得る材質を用いる必要がある。また、ノズル先端噴射口５の径を噴射量を阻害しない程度に小さくすると、噴射を収斂でき、よりパワーのあるスプレーとなり、噴射量も少なくなり、それにより空気及び液体が通路内に留まる時間も長くなり、より加温できる利点がある。
【産業上の利用可能性】
【００２１】
本考案加温洗浄器は歯科治療、特に歯周病治療，メンテナンス，予防等の分野に利用し、効果を発揮する。
【図面の簡単な説明】
【００２２】
【図１】本発明実施の形態に係る歯科用加温洗浄器の外観斜視図である。
【図２】把持部の断面図である。
【図３】加温部の外観斜視図である。
【図４】螺旋管の外観斜視図である。
【図５】ノズルの断面図である。
【符号の説明】
【００２３】
１：把持部
２：加温部
３：ヘッド部
４：ノズル
５：噴射口
６：空気通路
６ａ:空気通路入り口
６ｂ：空気通路出口
７：ヒーター
７ａ：ヒーターのコード
８：液体通路
８ａ：液体通路入り口
８ｂ：液体通路出口
８ｃ：螺旋管
９：ヘッドの挿入り口
１０：接続筒
１１：内腔
１２：外腔
１３：内腔入り口
１４：外腔入り口
１５：Ｏリング
１６：接続リング
【図１】
0003124465.tif 000003
【図２】
0003124465.tif 000004
【図３】
0003124465.tif 000005
【図４】
0003124465.tif 000006
【図５】
0003124465.tif 000007